(57)【要約】【課題】耐張碍子連13を鉄塔アーム11に連結する連結金具17から下方へ延び出したホーン支持金具33と、このホーン支持金具に上下方向の位置を調整可能に取り付けられたアース側アークホーン35とを備えたアース側アークホーン装置において、ホーン支持金具下端からのアース側アークホーンの突出長さを調整する作業やホーン間隔を測定する作業を容易に行えるようにする。アース側アークホーンの長さが従来よりも短くて済むようにする。【解決手段】耐張碍子連13の軸線方向を含む垂直面内で、ホーン支持金具33に対するアース側アークホーン35の取付け角度を調整可能とすることにより、アース側アークホーン35の下端の位置を耐張碍子連方向に調整できるようにする。アース側アークホーン35の下端をジャンパ側アークホーン37のほぼ真上に位置させることができる。【選択図】図３
2008171673.tif 000002
【特許請求の範囲】
【請求項１】
耐張碍子連を鉄塔アームに連結する連結金具から下方へ延び出したホーン支持金具と、このホーン支持金具に上下方向の位置を調整可能に取り付けられたアース側アークホーンとを備えたアース側アークホーン装置において、前記アース側アークホーンが、その下端の位置を耐張碍子連の軸線方向に調整できるように、ホーン支持金具に取り付けられるようになっていることを特徴とするアース側アークホーン装置。
【請求項２】
耐張碍子連方向の軸線方向を含む垂直面内で、前記ホーン支持金具に対するアース側アークホーンの取付け角度が調整可能となっていることを特徴とする請求項１記載のアース側アークホーン装置。
【発明の詳細な説明】
【技術分野】
【０００１】
本発明は、架空送電線の耐張鉄塔部においてジャンパ側アークホーンと対向するように設置されるアース側アークホーン装置に関するものである。
【背景技術】
【０００２】
アース側アークホーン装置の使用状態を図４に示す。図において、１１は耐張鉄塔のアーム、１３は耐張碍子連、１５は架空送電線、１７は耐張碍子連１３を鉄塔アーム１１に連結する連結金具（具体的にはヨーク）、１９は架空送電線１５を引き留める引留めクランプ、２１は引留めクランプ１９を耐張碍子連１３に引き留める引留め金具、２３は鉄塔の両側の架空送電線１５、１５を電気的に接続するパイプ式ジャンパ装置である。パイプ式ジャンパ装置２３は、水平配置された２本のパイプ導体２５と、２本のパイプ導体２５の間隔を平行に保持するスペーサ２７と、パイプ導体２５の両端付近のスペーサ２７と前記引留め金具２１とを連結する吊下げ棒２９と、パイプ導体２５の端部と引留めクランプ１９とを接続するジャンパ線３１などから構成されている。
【０００３】
上記のように構成された架空送電線の耐張鉄塔部において、連結金具１７には下方へ延びだすホーン支持金具３３が一体に設けられており、このホーン支持金具３３にアース側アークホーン３５が下向きに取り付けられている。一方、アース側アークホーン３５の直下の、パイプ導体２５の中間を把持するスペーサ２７には、ジャンパ側アークホーン３７が上向きに取り付けられている（特許文献１の図４（ニ）参照）。アース側アークホーン３５とジャンパ側アークホーン３７は、架空送電線１５に誘起された異常高電圧（雷サージ電圧など）を、両者間の放電によりアース側に逃して、送電線路全体の絶縁協調を図るためのものである。このため、アース側アークホーン３５の下端とジャンパ側アークホーン３７の上端との間隔Ｇは、両者間が所定の電圧以上になるとアーク放電が発生するように規定の間隔に正確に設定する必要がある。
【０００４】
ホーン支持金具３３とアース側アークホーン３５で構成されるアース側アークホーン装置３９は、従来、図５のような構成となっている。すなわち、ホーン支持金具３３の下端部にホーン取付け用の補助金具４１をボルトナット４３により取り付け、この補助金具４１にアース側アークホーン３５をボルトナット４５により取り付けた構成となっている。アース側アークホーン３５は細長い板状で、長手方向に所定の間隔をおいて多数のボルト穴４７を形成したものである。これによりアース側アークホーン３５は、補助金具４１に取り付ける際にボルト穴４７を選択することで、ホーン支持金具３３の下端からの突出長さを調整し、前記ホーン間隔Ｇを規定の間隔に設定できるようになっている。
【０００５】
【特許文献１】特開２００６−２４６６３５号公報
【発明の開示】
【発明が解決しようとする課題】
【０００６】
耐張鉄塔部における耐張碍子連のカテナリー角α（図４参照）は、送電線路の地形の起伏などによって変化する。従来のアース側アークホーン装置は、連結金具と一体に設けられたホーン支持金具に、アース側アークホーンを固定した構造であるため、カテナリー角αが変わると、アース側アークホーンの傾き角が変わり、アース側アークホーンの下端が耐張碍子連方向にずれて、ホーン間隔Ｇが変化することになる。そこで、耐張碍子連のカテナリー角αが普通の角度（アース側アークホーンの下端がジャンパ側アークホーンの真上にくる角度）より大きい（又は小さい）場合にはアース側アークホーンの突出長さを長くして規定のホーン間隔を確保するようにしている。
【０００７】
しかし、アース側アークホーンの下端が耐張碍子連方向にずれて、アース側アークホーンの下端がジャンパ側アークホーンの真上に位置しなくなると、アース側アークホーンの突出長さを調整して規定のホーン間隔に設定する作業やホーン間隔を測定する作業が極めて面倒である。また、アース側アークホーンの下端がジャンパ側アークホーンの真上に位置しない状態で規定のホーン間隔を確保するには、アース側アークホーンの突出長さを長くする必要があるため、長さの長いアース側アークホーンを用意しなければならない。さらに、カテナリー角αがマイナス側になる場合は、アース側アークホーンの突出長さを特に長くする必要があるため、風圧荷重に耐えられるように板厚を厚くしなければならないケースも出てくる。
【０００８】
本発明の目的は、ホーン支持金具下端からのアース側アークホーンの突出長さを調整する作業やホーン間隔を測定する作業が容易で、しかもアース側アークホーンの長さが従来よりも短くて済むアース側アークホーン装置を提供することにある。
【課題を解決するための手段】
【０００９】
この目的を達成するため本発明は、耐張碍子連を鉄塔アームに連結する連結金具から下方へ延び出したホーン支持金具と、このホーン支持金具に上下方向の位置を調整可能に取り付けられたアース側アークホーンとを備えたアース側アークホーン装置において、前記アース側アークホーンが、その下端の位置を耐張碍子連の軸線方向に調整できるように、ホーン支持金具に取り付けられるようになっていることを特徴とするものである。
【００１０】
本発明に係るアース側アークホーン装置は、耐張碍子連の軸線方向を含む垂直面内で、前記ホーン支持金具に対するアース側アークホーンの取付け角度が調整可能となっていることが好ましい。
【発明の効果】
【００１１】
本発明によれば、アース側アークホーンの下端の位置を耐張碍子連の軸線方向に調整できるようになっているので、アース側アークホーンの下端をジャンパ側アークホーンのほぼ真上に位置させることが可能となり、アース側アークホーンの突出長さを調整する作業やホーン間隔を測定する作業を容易に行うことができる。また、アース側アークホーンの突出長さの調整範囲が小さくて済むため、アース側アークホーンの長さを従来よりも短くでき、コストダウンを図ることができる。
【発明を実施するための最良の形態】
【００１２】
図１（Ａ）、（Ｂ）は本発明の一実施形態を示す。図１において、図５と同一部分には同一符号を付してある。このアース側アークホーン装置３９も、ホーン支持金具３３に補助金具４１を介してアース側アークホーン３５を取り付けている点では従来と同様である。
【００１３】
このアース側アークホーン３９の特徴は、図１（Ｂ）に示すように、補助金具４１の下部が上部より幅広に形成され、アース側アークホーン３５を取り付けるための２つのボルト穴４９Ａ、４９Ｂのうちの下側のボルト穴４９Ｂが、上側のボルト穴４９Ａを中心とする円弧状に形成されていることである。このため、このアース側アークホーン装置３９は、図２（Ａ）〜（Ｃ）のように、耐張碍子連の軸線方向を含む垂直面内（この実施形態ではホーン支持金具３３を含む垂直面内）でのホーン支持金具３３の中心軸線に対するアース側アークホーン３５の取付け角度を調整することが可能である。図２（Ａ）はカテナリー角αが普通の場合、（Ｂ）はカテナリー角αが大きい場合、（Ｃ）はカテナリー角αが小さいかマイナスの場合である。なお、アース側アークホーン３５の上下方向の位置が調整可能であることは従来と同じである。
【００１４】
このアース側アークホーン装置３９は上記のような構成であるため、これを、図３のように鉄塔アーム１１の脇の連結金具１７の部分に設置する際には、耐張碍子連１３のカテナリー角αの大きさに応じてホーン支持金具３３に対するアース側アークホーン３５の取付け角度を調整することで、アース側アークホーン３９の下端の位置を耐張碍子連方向に調整し（矢印Ａ参照）、アース側アークホーン３９の下端をジャンパ側アークホーン３７のほぼ真上に位置させることができる。したがって、アース側アークホーン３５のホーン支持金具３３からの突出長さを調整する作業やホーン間隔を測定する作業を容易に行うことができる。また、アース側アークホーン３５をより鉛直方向下方に向けることができるため、アース側アークホーンの突出長さの調整範囲が小さくて済み、アース側アークホーンの長さを従来よりも短くできる。
【００１５】
なお、上記の実施形態では、アース側アークホーン３５をホーン支持金具３３に補助金具４１を介して取り付けたが、ホーン支持金具３３の下端部を補助金具４１の下部と同じ構造にすることにより、ホーン支持金具３３にアース側アークホーン３５を直接取り付けることも可能である。また、アース側アークホーンを取り付ける中心ボルト穴４９Ａと円弧状ボルト穴４９Ｂは上下を反対にしてもよいし、２つのボルト穴４９Ａ、４９Ｂを両方とも円弧状に形成してもよい。
【図面の簡単な説明】
【００１６】
【図１】本発明に係るアース側アークホーン装置の一実施形態を示す、（Ａ）は側面図、（Ｂ）はアース側アークホーンを取り外した状態の正面図。
【図２】（Ａ）〜（Ｃ）は図１のアース側アークホーン装置におけるアース側アークホーンの取付け角度の調整範囲を示す正面図。
【図３】図１のアース側アークホーン装置の使用状態を示す正面図。
【図４】従来のアース側アークホーン装置の使用状態を示す正面図。
【図５】従来のアース側アークホーン装置を示す、（Ａ）は側面図、（Ｂ）は正面図。
【符号の説明】
【００１７】
１１：鉄塔アーム
１３：耐張碍子連
１５：架空送電線
１７：連結金具
１９：引留めクランプ
２１：引留め金具
２３：パイプ式ジャンパ装置
２５：パイプ導体
２７：スペーサ
２９：吊下げ棒
３１：ジャンパ線
３３：ホーン支持金具
３５：アース側アークホーン
３７：ジャンパ側アークホーン
３９：アース側アークホーン装置
４１：補助金具
４３、４５：ボルトナット
４７：ボルト穴
４９Ａ：中心ボルト穴
４９Ｂ：円弧状ボルト穴
α：カテナリー角
Ｇ：ホーン間隔
【図１】
2008171673.tif 000003
【図２】
2008171673.tif 000004
【図３】
2008171673.tif 000005
【図４】
2008171673.tif 000006
【図５】
2008171673.tif 000007